(57)【要約】【課題】高い熱伝達率が得られる熱輸送流体、熱輸送装置および熱輸送方法を提供する。【解決手段】熱輸送流体は、溶媒分子２の集合体である溶媒と、溶媒中に分散される複数の微小粒子１と、微小粒子１に接触しているアルケン３と、を備えて構成されている。【選択図】図１
2009298943.tif 000002
【特許請求の範囲】
【請求項１】
水または有機物からなる溶媒と、
前記溶媒中に分散される微小粒子と、
前記微小粒子に接触しているコーティング剤と、
を備え、
前記コーティング剤はアルケンであることを特徴とする熱輸送流体。
【請求項２】
前記アルケンは、二重結合の炭素に結合される置換基のうち、少なくとも１個が水素であることを特徴とする請求項１に記載の熱輸送流体。
【請求項３】
前記アルケンは、シス型異性体で構成されることを特徴とする請求項１または２に記載の熱輸送流体。
【請求項４】
水または有機物からなる溶媒と、
前記溶媒中に分散される微小粒子と、
前記微小粒子に接触しているコーティング剤と、
を備え、
前記コーティング剤はアルカンであることを特徴とする熱輸送流体。
【請求項５】
前記アルカンの側鎖にはメチル基が少なくとも２個結合され、
前記メチル基は前記アルカンの主鎖のうち、隣り合わない炭素に結合されていることを特徴とする請求項４に記載の熱輸送流体。
【請求項６】
前記微小粒子の平均直径は、１ｎｍ〜１０μｍの範囲であることを特徴とする請求項１から５のいずれか一項に記載の熱輸送流体。
【請求項７】
第１の部材と、
前記第１の部材よりも低温である第２の部材と、
前記第１の部材および前記第２の部材を経由するように、請求項１〜６のいずれか一項に記載の熱輸送流体を循環させる循環手段と、
を備えることを特徴とする熱輸送装置。
【請求項８】
第１の部材および前記第１の部材よりも低温である第２の部材を経由するように、請求項１〜６のいずれか一項に記載の熱輸送流体を循環させ、前記第２の部材から前記第１の部材へ熱を輸送することを特徴とする熱輸送方法。
【発明の詳細な説明】
【技術分野】
【０００１】
本発明は、熱を伝達、輸送する熱輸送流体に関する。
【背景技術】
【０００２】
従来、例えば車載されるエンジンや電子機器等の熱源から放熱を行う装置には、熱源からの熱を外部に伝達、輸送する熱輸送流体が用いられている。熱輸送流体は、熱源から熱を持ち去り、熱交換器から放熱する。また、熱輸送流体は、加熱対象物へ熱を伝達する用途にも用いられる。こうした熱輸送流体には、熱交換器等の設備としてのエネルギー効率を高めるため、より高い冷却性能、すなわちより高い熱輸送能力が求められている。
【０００３】
そして、熱輸送流体の熱輸送能力を高めるために、例えば、非特許文献１では、エチレングリコールからなる媒体中に、直径が１０ｎｍ（ナノメートル）以下の銅（Ｃｕ）からなる微小粒子を少量だけ含有させることにより、媒体の熱伝導率が大きく向上されることが報告されている。
【０００４】
また、例えば特許文献１および特許文献２においても、媒体中に熱伝導率の高い微小粒子を分散させることによりその熱伝導率および熱拡散率の向上が図られることが報告されている。
【非特許文献１】Ａｐｐｌｉｅｄ  Ｐｈｙｓｉｃｓ  Ｌｅｔｔｅｒｓ（アプライド・フィジックス・レターズ），Ｖｏｌ．７８，Ｎｏ．６，ｐｐ．７１８−７２０（２００１）
【特許文献２】特表２００４−５０１２６９号公報
【特許文献３】特開２００４−３３９４６１号公報
【発明の開示】
【発明が解決しようとする課題】
【０００５】
しかしながら、熱輸送流体には、さらに高い熱伝達率が求められる。そこで、本発明は、高い熱伝達率が得られる熱輸送流体、熱輸送装置および熱輸送方法を提供することを目的とする。
【課題を解決するための手段】
【０００６】
上記目的を達成するために、請求項１に記載の熱輸送流体の発明では、水または有機物を含む溶媒と、溶媒中に分散される微小粒子と、微小粒子に接触しているコーティング剤と、を備え、コーティング剤はアルケンを含むことを特徴とする。
【０００７】
このような構成によれば、コーティング剤に含まれるアルケンの構造変化に伴う吸熱および発熱を利用して熱輸送を促進し、高い熱伝達率を有する熱輸送流体が得られる。アルケンは、二重結合の周りに結合するアルキル基の数と位置によってその相対的安定性が決まり、不安定な構造ほど水素と反応してアルカンになる。本発明は、このようなアルケンの相対的安定性を利用した構造変化によって生じる発熱を利用し、熱輸送を促進することができる。
【０００８】
さらに、請求項２に記載の発明のように、アルケンは、二重結合の炭素に結合される置換基のうち、少なくとも１個が水素であることが好ましい。この発明によれば、二重結合の炭素に少なくとも１個に水素置換基が配されていることにより、水素の付加反応が起こりやすくなる不安定性の高いアルケンを構成することができる。したがって、熱輸送流体の発熱が起こりやすくなるとともに、その発熱量（水素化熱）を向上させることができる。
【０００９】
さらに、請求項３に記載の発明のように、請求項１または２に記載の構成において、前記アルケンは、シス型異性体で構成されることが好ましい。この発明によれば、炭素の二重結合を挟んで置換基が同じ側（シス型）にあるときは反対側（トランス）にあるときよりも不安定なアルケンになるため、炭素鎖の水素化熱が大きくなる。よって、シス型異性体のアルケンは、アルカンに変化するときに大きな発熱量を伴うため、これを利用した熱輸送により高い熱伝達率を実現できる。
【００１０】
また、上記目的を達成するために、請求項４に記載の熱輸送流体の発明では、水または有機物を含む溶媒と、溶媒中に分散される微小粒子と、微小粒子に接触しているコーティング剤と、を備え、コーティング剤はアルカンを含むことを特徴とする。
【００１１】
このような構成によれば、コーティング剤に含まれるアルカンの構造変化に伴う吸熱および発熱を利用して熱輸送を促進し、高い熱伝達率を有する熱輸送流体が得られる。アルカンは、例えばブタンにおいてよく知られているように、配座異性体（または回転異性体ともいう）を有する。配座異性体は、結合を切断することなく分子の形を変えることができる立体配座が異なる異性体である。この配座異性体は、Ｃ−Ｃ結合の回転角に応じてすべて違う形になり、例えば２つのメチル基同士の２面角によって立体反発が変化し、配座異性体の安定性や配座異性体のポテンシャルエネルギーに差が生じる。本発明は、このような配座異性体の性質を利用したコーティング剤の回転による構造変化により、異性体間のポテンシャルエネルギー差から生じる発熱および吸熱を利用し、熱輸送を促進することができる。
【００１２】
さらに、請求項５に記載の発明のように、アルカンの側鎖にはメチル基が少なくとも２個結合され、メチル基はアルカンの主鎖のうち、隣り合わない炭素に結合されていることが好ましい。この発明によれば、少なくとも２個のメチル基はアルカンの主鎖のうち、隣り合わない炭素に結合されていることにより、Ｃ−Ｃ結合周りの回転による構造変化が起こりやすくなるアルカンを構成することができる。したがって、熱輸送流体の発熱および吸熱が起こりやすくなり、ポテンシャルエネルギー変化を促進し、さらに熱輸送を向上することができる。
【００１３】
また、請求項６に記載の発明のように、請求項１から５のいずれか一項に記載の構成において、微小粒子の平均直径は、１ｎｍ〜１０μｍの範囲であることが好ましい。これによれば、溶媒に分散される微小粒子としての表面積が飛躍的に増大することとなり、より多くのコーティング剤を上記発熱反応及び吸熱反応に関与させることができるようになる。このため、熱輸送流体としての熱輸送能力のさらなる向上が期待できる。
【００１４】
上記各発明の熱輸送流体は、請求項７に記載の発明のように、第１の部材と、第１の部材よりも低温である第２の部材と、第１の部材および第２の部材を経由するように、熱輸送流体を循環させる循環手段と、を備える熱輸送装置に適用することができる。また、上記各発明の熱輸送流体は、請求項８に記載の発明のように、第１の部材および第１の部材よりも低温である第２の部材を経由するように、熱輸送流体を循環させ、第２の部材から第１の部材へ熱を輸送する熱輸送方法に用いることができる。
【００１５】
この装置および方法によれば、コーティング剤の吸熱反応と発熱反応を利用して高温側の第１の部材で熱を吸収し、低温側の第２の部材で熱を放出することにより、いわゆる擬似潜熱輸送効果を奏し、熱輸送量を飛躍的に大きくすることができる。
【発明を実施するための最良の形態】
【００１６】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組合せに支障が生じなければ、明示してなくとも実施形態同士を部分的に組み合せることも可能である。
【００１７】
本熱輸送流体は、溶媒分子の集合体である溶媒と、溶媒中に分散している微小粒子と、この微小粒子に付着しているコーティング剤と、を含んでいる。コーティング剤は、発熱反応や吸熱反応が起こる物質である。この発熱および吸熱は、化学反応や構造変化などによって起こり、その際に熱の移動が発生し、本熱輸送流体から熱の放出および熱の吸収が促進される。
【００１８】
（第１実施形態）
以下、本発明に係る熱輸送流体の第１実施形態について、図１および図２を参照して説明する。本実施形態にかかる熱輸送流体は、例えば車載用のエンジンやミッション等の冷却に用いられるものである。熱輸送流体は、熱源からの熱を外部に伝達、輸送する。この熱輸送流体に用いられる溶媒は、例えば水等の単一の成分からなるとともに、同溶媒よりも高い熱伝導率を有する微小粒子１を含有している。
【００１９】
溶媒は、溶媒分子２の集合体で構成され、例えば水または有機物（例えば、エチレングリコール、トルエン等）からなる。溶媒は、微小粒子１を分散させ、微小粒子１を運搬する流体とすることができる。この流体は、液体、あるいは気体によって提供されうる。流体は、単一もしくは複数の成分から構成されうる。例えば、流体として水、液状の高分子を用いることができる。さらに、流体として、混合物を用いることができる。例えば、混合物には、水と、エチレングリコールと、他の機能成分との混合物を用いることができる。
【００２０】
複数の微小粒子１のそれぞれは、ナノメートルおよびマイクロメートルサイズの粒子であり、熱輸送流体中に溶媒分子２に取り囲まれる形態で分散している。微小粒子１は好ましくは平均直径が１ｎｍ〜１０μｍの範囲である。この微小粒子１としては、例えば金（Ａｕ）、銀（Ａｇ）、銅（Ｃｕ）、鉄（Ｆｅ）、ニッケル（Ｎｉ）等の金属、シリコン（Ｓｉ）、フッ素（Ｆ）等の無機物からなる粒子、アルミナ（Ａｌ２Ｏ３）、酸化マグネシウム（ＭｇＯ）、酸化銅（ＣｕＯ）、三酸化二鉄（Ｆｅ２Ｏ３）、酸化チタン（ＴｉＯ）等の酸化物からなる粒子、あるいは樹脂等からなるポリマー粒子を用いることができる。また、微小粒子１は、２種類以上の物質から構成されてもよい。
【００２１】
本実施形態のコーティング剤はアルケン３である。アルケンはＣｎＨ２ｎ＋１の一般式で表され、構造式の異なる構造異性体を有している。
【００２２】
アルケン３は、不安定でアルカンへの反応が起こりやすい構造を有しているものが好ましい。これによれば、アルケン３はエンタルピーが大きく、エネルギー的に不安定な構造異性体が好ましい。さらに、アルケン３からアルカン３Ａへの反応時の発熱量は、炭素鎖の水素化熱の大きさによって決まり、安定性の高いアルケンほど水素化熱が小さくなる傾向にある。これらのことから、アルケン３は、二重結合の炭素に結合されるアルキル基の数が少ないほどよい。また、アルケン３は二重結合の炭素に結合される置換基のうち、少なくとも１個が水素であるものが好ましい。また、アルケン３はトランス型異性体よりも不安定な構造異性体であるシス型異性体であることが好ましい。アルケン３をこのような構成とすることにより、化学反応による構造変化が促進され、さらに熱輸送量の大きい熱輸送流体を構成することができる。
【００２３】
本熱輸送流体においては、コーティング剤の化学反応により発熱がおこる状態と、コーティング剤の化学反応により吸熱がおこる状態と、の二つの状態によって熱輸送が行われる。図１は、熱輸送流体におけるコーティング剤の変化を示す説明図であって、（ａ）は高温時の状態を表し、（ｂ）は低温時の状態を表している。図１は、理解を容易にするため、一塊の微小粒子１の表面にコーティング剤が付着した状態のみを示しているが、実際には溶媒中にこのような一塊が複数個分散して存在している。
【００２４】
図１に示すように、微小粒子１の表面にはコーティング剤のアルケン３が付着している。コーティング剤は溶媒中で微小粒子１を安定に分散させている。コーティング剤は、熱輸送流体の使用温度域（例えば−３０〜１５０℃）の中で、高温度域（所定の温度よりも高温の温度域）ではアルケン３の状態で存在し、低温度域（所定の温度よりも低温の温度域）ではアルカン３Ａ（一般式はＣｎＨ２ｎ＋２）の状態で存在する。
【００２５】
すなわち、高温度域になると、図１の（ａ）の状態のように、アルカン３Ａは水素原子の脱離によりアルケン３に変化して吸熱反応を伴う状態になる（以下、高温度域状態ともいう）。そして、低温度域になると、図１の（ｂ）の状態のように、アルケン３が水素原子の付加反応により水素原子と結合してアルカン３Ａに変化して発熱反応を伴う状態（以下、低温度域状態ともいう）となる。
【００２６】
このように、本熱輸送流体は、コーティング剤が、所定の温度以下の温度域においてはアルカン３Ａに変化して外部から熱を吸収するとともに、所定の温度以上の温度域ではアルケン３に変化して外部に熱を放出する。これにより、本熱輸送流体は、使用温度域の中で、化学反応をきっかけとして発熱する状態と、吸熱する状態との間で変化する。
【００２７】
ここで、図１に示される２つの状態は、外部からの熱の吸収、あるいは外部への熱の放出に伴って可逆的に変化する。そして、「高温時から低温時への変化」は発熱反応であるのに対して、「低温時から高温時への状態変化」は吸熱反応であり、これら２つの状態の変化においてはエネルギー差が生じることとなる。このエネルギー差は、ある一定温度における２つの状態間のエネルギー差である。そして、本実施形態にかかる高温度域状態と低温度域状態との間の変化に伴うエネルギー差も大きいことを確認しており、これら状態の変化を通じて飛躍的に大きな熱量を輸送させることができる。
【００２８】
本熱輸送流体は、例えば、周知の二相還元法を用いて製造することができる。つまり、本熱輸送流体は、例えば、ＨＡｕＣｌ４水溶液にコーティング剤を添加した後、還元剤を混合することにより製造される。本熱輸送流体では、化学反応による構造変化させる温度をその使用温度域に応じて調整することができる。構造変化する温度を左右する因子としては、コーティング剤の種類、その配合量、微小粒子の種類、その配合量、溶媒の種類、その配合量等が挙げられる。
【００２９】
次に、本熱輸送流体を熱輸送装置１０に適用した例について図２にしたがって説明する。図２は、熱輸送装置１０の構成を示す模式図である。熱輸送装置１０は、第１の部材１１の熱を第２の部材１４に移動させる装置であり、例えば第１の部材１１の熱は車両用エンジンの熱であり、第２の部材１４はラジエータである。
【００３０】
本熱輸送流体は、第１の部材１１および第１の部材１１よりも低温である第２の部材１４を経由するように循環する。熱輸送流体は、具体的には、高温側通路１２と低温側通路１５を連絡する循環回路を循環手段であるポンプ１３によって強制的に循環することになる。例えばこの装置では、熱輸送流体は、高温側通路１２を通るときにエンジンの熱により高温となる第１の部材１１から熱を吸収し、低温側通路１５を通るときに外気に触れて低温となっているラジエータ（第２の部材１４）へ熱を放出する。また、高温側通路１２から低温側通路１５に至る通路には、低温側通路１５での発熱反応を促進するために、水素付加反応を促す触媒（例えば白金族金属等）を設けている。この触媒により、触媒存在下での接触水素付加反応が促される。また、低温側通路１５から高温側通路１２に至る通路には、高温側通路１２での吸熱反応を促進するために、脱水素反応を促す触媒（例えば白金族金属等）を設けている。この触媒により、触媒存在下での接触脱水素反応が促される。
【００３１】
ここで、第１の部材１１は、熱輸送流体のコーティング剤が変化する温度より高く、第２の部材１４の温度はコーティング剤が変化する温度より低い。このため、熱輸送流体は、高温側通路１２を通るときは、通常の熱伝導による吸熱とともに、構造変化に伴う熱量の熱を吸収して、エネルギーレベルの高い高温度域状態となり、次に、低温側通路１５を通るときは、通常の熱伝導による放熱とともに、当該変化に伴う熱量を放出し、低温度域状態となる。すなわち、熱輸送流体は、当該変化に相当する熱量を第１の部材１１から吸収し、第２の部材１４に放出するという、熱輸送効果を奏し、熱輸送量を飛躍的に増大させる。
【００３２】
以上説明したように、この実施の形態にかかる熱輸送流体によれば、以下に列記するような効果が得られるようになる。
【００３３】
本実施形態の熱輸送流体は、水または有機物を含む溶媒と、溶媒中に分散される微小粒子１と、微小粒子１に接触しているコーティング剤としてのアルケン３剤と、を備えている。
【００３４】
この構成によれば、アルケン３は、二重結合の周りに結合するアルキル基の数と位置によってその相対的安定性が決まり、不安定な構造ほど水素と反応してアルカン３Ａになる。このようなアルケンの相対的安定性を利用した化学反応による変化によって、コーティング剤の変化に伴う吸熱および発熱を利用して熱輸送を促進し、高い熱伝達率を有する熱輸送流体が得られる。
【００３５】
また、アルケン３は、二重結合の炭素に結合される置換基のうち、少なくとも１個が水素であるものが好ましい。この構成によれば、水素の付加反応が起こりやすい不安定なアルケン３を構成することができる。したがって、熱輸送流体の発熱が起こりやすくなり、さらに水素化熱が大きいため、発熱量を向上させることができる。
【００３６】
また、アルケン３はシス型異性体で構成されるものが好ましい。この構成によれば、トランス型よりも不安定なアルケン３になるため、炭素鎖の水素化熱が大きくなる。よって、シス型異性体のアルケン３は、アルカンに変化するときに大きな発熱量を伴うため、さらに発熱量を向上させることができる。
【００３７】
また、本熱輸送流体は、第１の部材１１および第１の部材１１よりも低温である第２の部材１４を経由するように、熱輸送流体を循環させ、第２の部材１４から第１の部材１１へ熱を輸送する熱輸送方法に用いられる。この熱輸送の方法によれば、コーティング剤の吸熱反応と発熱反応を利用して高温側の第１の部材１１で熱を吸収し、低温側の第２の部材１４で熱を放出することにより、熱輸送効果を奏し、熱輸送量を飛躍的に大きくすることができる。
【００３８】
微小粒子１には平均直径が１ｎｍ〜１０μｍの範囲のものを用いる。これによれば、溶媒に分散される微小粒子としての表面積が飛躍的に増大することとなり、より多くのコーティング剤を発熱反応および吸熱反応に関与させることができるようになる。このため、熱輸送流体としての熱輸送能力のさらなる向上が期待できる。
【００３９】
また、溶媒としてエチレングリコールを用いた場合には、凝固点降下作用を有し、溶媒の凝固点を−２０℃程度まで降下させることが可能である。すなわち、例えば車載用の冷却水やオイル等のように寒冷地等における実用性においてより優れたものとなる。
【００４０】
（第２実施形態）
次に、第２実施形態にかかる熱輸送流体について説明する。本実施形態に係る熱輸送流体は、コーティング剤をアルケンの代わりにアルカンとしている。本熱輸送流体は、その他の構成において第１実施形態と同様である。このように本熱輸送流体は、アルカンであるコーティング剤を採用することにより、アルカンの立体配座の変化による構造変化を利用して、発熱および吸熱を起こし、熱輸送量を向上させる。
【００４１】
本実施形態のコーティング剤はアルカンである。アルカンはＣｎＨ２ｎ＋２の一般式で表され、立体配座が異なる配座異性体あるいは回転異性体を有している。
【００４２】
アルカンは以下のような性質を有している。アルカンは、例えばブタンにおいてよく知られているように、配座異性体（または回転異性体ともいう）を有する。配座異性体は、結合を切断することなく分子の形を変えることができる立体配座が異なる異性体である。この配座異性体は、Ｃ−Ｃ結合の回転角に応じてすべて違う形になり、例えば２つのメチル基同士の２面角によって立体反発が変化し、配座異性体の安定性や配座異性体のポテンシャルエネルギーに差が生じる。
【００４３】
このポテンシャルエネルギーは、それぞれの回転角を有する配座異性体について、固有の数値であり、ある配座異性体から他の配座異性体に変化するときのポテンシャルエネルギーの差により、吸熱反応または発熱反応が起こる。例えば、ブタンにおいてアンチ形からゴーシュ型への変化は吸熱反応が起こり、逆の変化では発熱反応が起こることになる。
【００４４】
コーティング剤に含まれるアルカンは、アルカンの側鎖にはメチル基が少なくとも２個結合され、メチル基はアルカンの主鎖のうち、隣り合わない炭素に結合されている構造を有しているものが好ましい。このアルカンによれば、隣り合う炭素にメチル基が結合されていないことにより、立体障害が減り回転しやすくなるため、Ｃ−Ｃ結合周りの回転による立体配座の変化が起こりやすくなる。したがって、構造変化が促進され、さらに熱輸送の活発な熱輸送流体を構成することができる。
【００４５】
本熱輸送流体においては、アルカンのＣ−Ｃ結合周りの回転による立体配座の変化によって発熱がおこる状態と、当該立体配座の変化によって吸熱がおこる状態と、の二つの状態によって熱輸送が行われる。これは、第１実施形態において図１を用いてした説明と同様である。
【００４６】
アルカンは、例えば、温度をトリガとして立体配座が連続的に変化する。各配座異性体において固有のポテンシャルエネルギーがあり、温度による状態変化に伴ってポテンシャルエネルギーが変化し、ある変化では発熱し、また別の変化では吸熱することがある。そして、一般的に、熱輸送流体の使用温度域（例えば−３０〜１５０℃）の中で、高温度域（所定の温度よりも高温の温度域）では吸熱の状態で存在し、低温度域（所定の温度よりも低温の温度域）では発熱の状態で存在する。
【００４７】
すなわち、高温度域になると、アルカンは吸熱反応を伴う状態になる。そして、低温度域になると、アルカンは発熱反応を伴う状態となる。これにより、本熱輸送流体は、使用温度域の中で、構造変化をきっかけとして、発熱する状態と、吸熱する状態との間で変化する。そしてこれらの状態は、外部からの熱の吸収、あるいは外部への熱の放出に伴って可逆的に変化する。そして、「高温時から低温時への変化」は発熱反応であるのに対して、「低温時から高温時への状態変化」は吸熱反応である。本熱輸送流体は、このようなコーティング剤の状態変化を通じて飛躍的に大きな熱量を輸送させることができる。
【００４８】
本実施形態に係る熱輸送流体によれば、以下に列記するような効果が得られるようになる。本実施形態の熱輸送流体は、水または有機物を含む溶媒と、溶媒中に分散される微小粒子１と、微小粒子１に接触しているコーティング剤としてのアルカンと、を備えている。
【００４９】
この構成によれば、配座異性体の性質を利用した回転による構造変化によって、異性体固有のポテンシャルエネルギー差が生じる。そして、構造変化の過程で、ポテンシャルエネルギー差により、発熱および吸熱が発生する。このように、アルカンは、コーティング剤に含まれるアルカンの立体配座の変化に伴う吸熱および発熱を利用することによって、熱輸送を促進し、高い熱伝達率を有する熱輸送流体を提供できる。
【００５０】
さらに、アルカンの側鎖にはメチル基が少なくとも２個結合され、メチル基はアルカンの主鎖のうち、隣り合わない炭素に結合されている。この構成によれば、Ｃ−Ｃ結合周りの回転による立体配座の変化が起こりやすくなるアルカンを提供することができる。これにより、さらに熱輸送流体の発熱および吸熱が起こりやすくなり、しかもポテンシャルエネルギー変化が促進され、さらに熱輸送能力を向上することができる。
【００５１】
（その他の実施形態）
以上、本発明の好ましい実施形態について説明したが、本発明は上述した実施形態に何ら制限されることなく、本発明の主旨を逸脱しない範囲において種々変形して実施することが可能である。
【００５２】
熱輸送流体に含まれる溶媒は、上記各実施形態で例示した他、以下の有機溶媒を用いることができる。有機溶媒としては、トルエン、ヘキサン、ジエチルエーテル、クロロホルム、酢酸エチル、テトラヒドロフラン、塩化メチレン、アセトン、アセトニトリル、Ｎ，Ｎ−ジメチルホルムアミド、ジメチルスルホキシド、酢酸ブタノール、２プロパノール、１−プロパノール、エタノール、メタノール、ギ酸等である。
【００５３】
また、熱輸送流体に含まれる溶媒として、２種類の成分からなるものを用いてもよい。このうち１種類の溶媒としては凝固点降下作用を有するある液体を用いてもよい。例えば溶媒として水を用い、凝固点降下剤として酢酸カリウム、酢酸ナトリウム等を用いることができる。こうした構造によれば、熱輸送流体の凝固点を降下させることで、寒冷地等における実用性をさらに高めることができる。さらに必要に応じて、凝固点降下剤に加えて防錆剤や酸化防止剤を、添加剤として熱輸送流体に含有させるようにしてもよい。なお、熱輸送流体の凝固点降下の必要性がなければ、凝固点降下剤を含有しない２種類以上の溶媒を用いるようにしてもよい。
【００５４】
また、上記実施形態では、化学反応または立体配座の変化によるコーティング剤の構造変化を利用して熱を輸送することにより、熱輸送を向上させるものであったが、このような熱輸送メカニズムの他に、以下のようなものでもあってもよい。例えば、コーティング剤を構成する物質の炭素鎖が吸熱することによって振動し始め、逆に発熱することによって振動が停止するというメカニズムを利用してもよい。
【図面の簡単な説明】
【００５５】
【図１】熱輸送流体におけるコーティング剤の変化を示す説明図であって、（ａ）は高温時の状態を表し、（ｂ）は低温時の状態を表す。
【図２】熱輸送装置の構成を示す模式図である。
【符号の説明】
【００５６】
１…微小粒子
２…溶媒分子
３…アルケン（コーティング剤）
３Ａ…アルカン（コーティング剤）
１０…熱輸送装置
１１…第１の部材
１３…ポンプ（循環手段）
１４…第２の部材
【図１】
2009298943.tif 000003
【図２】
2009298943.tif 000004